(57)【特許請求の範囲】
【請求項１】
上下または左右両縁を接合縁として実部が形成された建築板であって、該建築板の一対を該実部相互を突合わせることによって接合した時に該接合部には深溝が形成され、該建築板の表面には該接合縁に平行にかつ該接合部分の深溝と同様な深溝が複数条等間隔をおいて形成され、更にランダムな間隔で縦横浅溝が複数条形成されており、該縦横の浅溝は該深溝間に少なくとも一条形成されており、該深溝と該縦横の浅溝とによって、あるいは該縦横の浅溝のみによって該建築板表面には複数個のブロックが画定されていることを特徴とする建築板
【請求項２】
該深溝は断面Ｖ字状である請求項１に記載の建築板
【請求項３】
該建築板は木質セメント板である請求項１または２に記載の建築板
【発明の詳細な説明】
【０００１】
【発明の属する技術分野】
本発明は例えば建築物の外装材等に使用される建築板に関するものである。
【０００２】
【従来の技術】
従来から建築板には図４に示すように建築板(11)の一方の接合縁には下実(12)が設けられ、他方の接合縁には上実(13)が設けられ、表面には横溝(17)と縦溝(18)とによって複数個のブロックＢを画定したブロック調模様が付されている。なお該建築板(11)の接合縁において、それぞれの上縁(14,15) は斜めカットされている。
【０００３】
【発明が解決しようとする課題】
上記建築板(11,11) の一対を接合する場合には一方の建築板(11)の下実(12)の上側に他方の建築板(11)の上実(13)を重ねる。そうすると接合部分には断面Ｖ字状の溝(16A) が形成される。この溝(16A) は建築板(11)の表面の横溝(17)や縦溝(18)よりも深く、目立ち易いので外観的に望ましくない。
更に建築板(11)を外装材とした場合には外部環境に曝されるので、吸放湿が大きく寸法変化が生じ易い。そして巾方向で伸縮が起った場合には接合部分の溝(16A) において隙間が生じたり、あるいは外側への反りが起った場合には一方の建築板(11)の下実(12)から他方の建築板(11)の上実(13)が浮上ったりして外観が悪化する。
【０００４】
【課題を解決するための手段】
本発明は上記従来の課題を解決するための手段として、上下または左右両縁を接合縁として実部(2,3) が形成された建築板(1) であって、該建築板(1,1) の一対を該実部(2,3) 相互を突合わせることによって接合した時に該接合部には深溝(6A)が形成され、該建築板(1) の表面には該接合縁に平行にかつ該接合部分の深溝(6A)と同様な深溝(6) が複数条等間隔をおいて形成され、更にランダムな間隔で縦横浅溝(7,8) が複数条形成されており、該縦横の浅溝(7,8)は該深溝(6,6A)間に少なくとも一条形成されており、該深溝(6,6A)と該縦横の浅溝(7,8)とによって、あるいは該縦横の浅溝(7,8)のみによって該建築板(1) 表面には複数個のブロックBが画定されている建築板(1) を提供するものである。
該深溝(6,6A)は断面Ｖ字状であることが望ましく、一般的には該建築板(1) は木質セメント板である。
【０００５】
【作用】
本発明の建築板(1) にあっては、表面に接合部分と同様な深溝(6) が等間隔で複数条形成されているので、接合部分の深溝(6A)が目立たなくなる。しかし等間隔の深溝(6) のみでは模様が規則的で面白味がないので、ランダムな間隔で縦横浅溝(7,8) を複数条形成し、該縦横浅溝(7,8)は該深溝(6) 間に少なくとも一条形成することによって模様にランダム性を与える。
【０００６】
上記建築板(1) にあっては、巾方向の伸縮は深溝(6) によって吸収されて抑制される。深溝(6) および縦横浅溝(7,8) によって表面の面積は裏面の面積よりも大きくなっており、したがって表面の吸放湿性は裏面の吸放湿性よりも大きく、更に深溝(6) によって建築板(1) は裏側へ曲り易くなっているので、反りが起ったとしても建築板(1) は裏側へ反ることになり、他方の建築板(1) の上実(3) が一方の建築板(1) の下実(2) から浮上ることがない。
【０００７】
【発明の実施の形態】
本発明を図１〜図３に示す一実施例によって説明すると、建築板(1) は例えば木質セメント板製外壁材であり、該建築板(1) の一方の接合縁には下実(2) が形成され、他方の接合縁には上実(3) が形成され、該接合縁の上縁(4,5) は斜めカットされている。
上記建築板(1) の表面には接合縁に沿って等間隔で複数条の深溝(6) が形成され、更にランダムな間隔で浅溝(7,8) が縦横にそれぞれ複数条形成されている。上記縦横の浅溝(7,8) は深溝(6) の間に少なくとも一条形成されている。そして該深溝(6) と縦横の浅溝(7,8) とによって、あるいは縦横の浅溝(7,8) のみによって該建築板(1) の表面には複数個のブロックＢが画定されている。
【０００８】
上記実施例では横の浅溝(7) は縦の浅溝(8) によって切断された形態としたが、本発明ではこれに限定されることなく、横浅溝(7) は縦浅溝(8) によって切断されることなく建築板(1) の両末端まで連通したものであってもよい。
【０００９】
該建築板(1) が木質セメント板の場合には、該深溝(6) と浅溝(7,8) とはエンボスによって形成される。また該ブロックＢの表面には高低差、凹凸等が付されてもよい。更に該建築板(1) の表面には塗装が施されてもよい。
【００１０】
上記建築板(1,1) の一対は、一方の建築板(1) の下実(2) の上側に他方の建築板(1) の上実(3) を重ねることによって接合され、該接合部においては双方の板の上縁斜めカット部(4,5) によって断面Ｖ字状の深溝(6A)が形成される。
そこで該建築板(1) 表面の深溝(6) を該深溝(6A)と同様な断面Ｖ字状とすれば接合部における深溝(6A)が他の深溝(6) と形状的に混同され、更に該接合部においては深溝(6A)の底面中央に接合線が表れるが、該建築板(1) 表面の深溝(6) を断面Ｖ字状とすれば該深溝(6) の底面中央部には急な折曲による線が表れるので、この点からも深溝(6A)が他の深溝(6) と混同され、目立たなくなる。
【００１１】
一方該建築板(1) 表面にはランダム間隔で縦横の浅溝(7,8) が形成されているので、等間隔で設けた深溝(6,6A)のみでは規則性のために面白味のない模様となるのを、該浅溝(7,8) によってランダム性が付与され、面白味のある模様となっている。
【００１２】
上記建築板(1) においては、表面に形成されている深溝(6) によって巾方向（図３矢印方向）の伸縮が吸収され抑制される。また深溝(6) および浅溝(7,8) が形成されることによって表面の面積が裏面の面積よりも大きくなり、吸放湿性も表面の方が裏面よりも大きくなるから、吸放湿による伸縮が表面の方が裏面よりも大きくなる。その結果建築板(1) は裏側へ反ることになり、該建築板(1) が裏側へ反れば接合部において一方の建築板(1) の下実(2) から他方の建築板(1) の上実(3) が浮上ることがない。
【００１３】
上記実施例では木質セメント板製外壁材について述べたが、本発明では湿式法で製造された木質セメント板、特に原料スラリーを抄造脱水して多層積層して製造した木質セメント板、あるいは原料スラリーを型枠に注入して脱水して製造した単層抄き木質セメント板に好適である。従来該木質セメント板においては、裏側が表面側よりも若干低密度になり易いので、建築板の接合部が浮上り易い傾向にあったが、本発明では例え変形が生じたとしてもせいぜい裏面側への反りになる程度であり接合部が目立ちにくゝなる。
【００１４】
更に接合部を上下にして建築板(1) を張設した場合、建築板(1) が外装材として雨水に曝されると、該雨水は縦横浅溝(7,8) を通って深溝(6) に集められ、該深溝(6) から左右へ排出されるので、排水効果も向上する。
【００１５】
上記実施例では接合部を左右方向にした例を示したが（横張り）、接合部を上下方向にしてもよい（縦張り）。また深溝(6,6A)は断面Ｖ字状ではなくＵ字状にしてもよいが、深溝(6A)底面中央の接合線を目立たなくさせるためには、前記したように断面Ｖ字状にすることが望ましい。
【００１６】
【発明の効果】
本発明の建築板は複数枚張設した状態で接合部が目立たなくなり、かつ適度なランダム性のある好ましい外観を提供する。更に本発明の建築板は寸法安定性が良く、反りが発生しても裏側に反るので、両端が浮上るようなことはない。
【図面の簡単な説明】
図１〜図３は本発明の一実施例を示すものである。
【図１】  斜視図
【図２】  接合断面図
【図３】  平面図
【図４】  従来例の説明図
【符号の説明】
1           建築板
2           下実（実部）
3           上実（実部）
6           表面の深溝
6A          接合部の深溝
7           横の浅溝
8           縦の浅溝
【図１】
0003920081.tif 000002
【図２】
0003920081.tif 000003
【図３】
0003920081.tif 000004
【図４】
0003920081.tif 000005